(57)【要約】【課題】凹凸のある表面に対して電極部６１、６４を追従して配することができる。【解決手段】電気的に絶縁な材料により形成されたシート状の基体５６と、基体５６上に電気的に導電性を有する材料により形成され、外部と電気的に接続する給電部７１、７４と、基体５６上に電気的に導電性を有する材料により形成され、給電部７１、７４に電気的に接続する電極部６１、６４とを備え、基体５６は周縁が切り込まれた切込み８５、８６を有する電極部材５１が提供される。【選択図】図３
2008110056.tif 000002
【特許請求の範囲】
【請求項１】
シート状の基体と、
前記基体上に電気的に導電性を有する材料により形成され、外部と電気的に接続する給電部と、
前記基体上に電気的に導電性を有する材料により形成され、前記給電部に電気的に接続する電極部と
を備え、
前記基体は、周縁において互いに相対的に変形可能な複数の可動部を有する電極部材。
【請求項２】
前記電極部は、前記基体における前記可動部上の少なくとも一部に形成される請求項１に記載の電極部材。
【請求項３】
前記基体は、電気的に絶縁な材料により形成される請求項１または２に記載の電極部材。
【請求項４】
前記基体は、円形部分を有し、
前記電極部は、前記基体の前記円形部分上に形成され、
前記円形部分の中心に対して放射状に前記切込みが複数設けられた請求項１から３のいずれかに記載の電極部材。
【請求項５】
前記電極部は、前記切込みから離間して配される請求項１から４のいずれかに記載の電極部材。
【請求項６】
作用側電極構造体と、
非作用側電極構造体と、
前記作用側電極構造体および前記非作用側電極構造体に接続された電源と
を備え、
前記作用側電極構造体に保持される薬物イオンを、前記電源からの電圧によって、生体に投与するためのイオントフォレーシス装置であって、
前記作用側電極構造体および前記非作用側電極構造体のそれぞれは、電源に電気的に接続される電極部材を有し、
前記電極部材は、
電気的に絶縁な材料により形成されたシート状の基体、
前記基体上に電気的に導電性を有する材料により形成され、外部と電気的に接続する一対の給電部、および、
前記基体上に電気的に導電性を有する材料により形成され、前記一対の給電部に電気的に接続する一対の電極部を有し、
前記基体は、周縁において互いに相対的に変形可能な複数の可動部を有するイオントフォレーシス装置。
【請求項７】
前記電極部は、前記基体における前記可動部上の少なくとも一部に形成される請求項６に記載のイオントフォレーシス装置。
【請求項８】
前記基体は、電気的に絶縁な材料により形成される請求項６または７に記載のイオントフォレーシス装置。
【発明の詳細な説明】
【技術分野】
【０００１】
本発明は、電極部材および電極部材を含むイオントフォレーシス装置に関する。特に本発明は、薬物イオンをイオントフォレーシスにより経皮的に投与するイオントフォレーシス装置およびこれに用いる電極部材に関する。
【背景技術】
【０００２】
人間または動物の身体の所望部位における皮膚または粘膜などの生体表面（以下、これらをまとめて「皮膚」と称す）に対して、薬物イオンをイオントフォレーシスにより経皮的に投与する装置が知られている（例えば、特許文献１を参照）。なお、イオントフォレーシス（ｉｏｎｔｏｐｈｏｒｅｓｉｓ）は、イオントフォレーゼ、イオン導入法、イオン浸透療法などと呼ばれることもある。
【特許文献１】特開２０００−２２９１２８号公報
【発明の開示】
【発明が解決しようとする課題】
【０００３】
上記特許文献１に開示されている装置に用いられ得る印刷電極層について説明する。図１０は、電極部材５０の平面図を模式的に示す。なお、図１０において説明のために右側の給電部７３における絶縁保護層９２を省略して示した。図１１は、電極部材５０を図１０の矢印Ａの側から見た側面図を示す。なお、図１１は、各部の配置を見易くするために厚さ方向（上下方向）に拡大した側面図を示す。電極部材５０は、ＰＥＴ（ポリエチレンテレフタレート）のフィルムにより形成された基体５５と、例えばカーボン粉などの導電粉を含有する導電塗料を印刷などの方法で基体５５上に塗膜することにより形成された電極部６０、６３および給電部７０、７３と、給電部７０、７３の基体５５側と反対側に例えば電気絶縁性のインクを印刷などの方法で塗膜することにより形成された絶縁保護層９２とを備える。ここで、電極部材５０がイオントフォレーシス装置に用いられる場合は、電極部６０、６３が作用側電極部および非作用側電極部それぞれの電極となる。また、このとき、給電部７０、７３は、電極部材５０がイオントフォレーシス装置に用いられる場合に、イオントフォレーシス装置の電源と電極部６０、６３とをそれぞれ電気的に接続する。
【０００４】
図１０および図１１に示すように、電極部材５０の基体５５における電極部６０、６３が形成された部分は、それぞれ略円形の面体であるが、イオントフォレーシス装置の作用側電極部および非作用側電極部を凹凸のある皮膚に当接させる場合に、電極部材５０の基体５５におけるこれらの部分が皮膚の凹凸に対して十分に撓まない場合がある。このような場合、皮膚と作用側電極部および非作用側電極部とが十分に当接せず、安定した通電状態のもとでイオントフォレーシスを適用することができない。
【課題を解決するための手段】
【０００５】
上記課題を解決するために、本発明の第１の形態においては、シート状の基体と、基体上に電気的に導電性を有する材料により形成され、外部と電気的に接続する給電部と、基体上に電気的に導電性を有する材料により形成され、給電部に電気的に接続する電極部とを備え、基体は周縁において互いに相対的に変形可能な複数の可動部を有する電極部材が提供される。このような電極部材は、基体周縁の可動部が撓んで変形することができるので、凹凸のある表面に対して追従して配することができる。
【０００６】
また、上記電極部材において、電極部は、前記基体における前記可動部上の少なくとも一部に形成されることが好ましい。これにより、凹凸のある表面に対して電極部を追従して当接させることができる。
【０００７】
また、上記電極部材において、基体は、電気的に絶縁な材料により形成されることが好ましい。
【０００８】
上記電極部材において、基体は、円形部分を有し、電極部は、前記基体の前記円形部分上に形成され、円形部分の中心に対して放射状に前記切込みが複数設けられることが好ましい。これにより、凹凸のある表面に対してさらに容易に当接させることができる。
【０００９】
また、上記電極部材において、電極部は、切込みから離間して配されることが好ましい。これにより、基体における切込みの両側の部分が離間する方向に力が加わった場合でも、電極部は破損または基体から剥離しにくくなる。
【００１０】
本発明の第２の形態においては、作用側電極構造体と、非作用側電極構造体と、作用側電極構造体および非作用側電極構造体に接続された電源とを備え、作用側電極構造体に保持される薬物イオンを、電源からの電圧によって、生体に投与するためのイオントフォレーシス装置であって、作用側電極構造体および非作用側電極構造体のそれぞれは、電源に電気的に接続される電極部材を有し、電極部材は、シート状の基体、基体上に電気的に導電性を有する材料により形成され、外部と電気的に接続する一対の給電部、および、基体上に電気的に導電性を有する材料により形成され、一対の給電部に電気的に接続する一対の電極部を有し、基体は周縁において互いに相対的に変形可能な複数の可動部を有するイオントフォレーシス装置が提供される。このようなイオントフォレーシス装置によれば、凹凸のある皮膚に対しても作用側電極構造体および非作用側電極構造体を容易に当接させることができるので、安定した通電状態のもとでイオントフォレーシスを適用することができる。
【００１１】
また、上記イオントフォレーシス装置において、電極部材の基体は、電気的に絶縁な材料により形成されることが好ましい。
【００１２】
また、上記イオントフォレーシス装置において、基体は、電気的に絶縁な材料により形成されることが好ましい。
【００１３】
上記イオントフォレーシス装置は、作用側電極構造体、非作用側電極構造体および集電体を支持する、シート状の支持体をさらに備えてもよい。
【００１４】
なお、上記の発明の概要は、本発明の必要な特徴の全てを列挙したものではなく、これらの特徴群のサブコンビネーションもまた、発明となりうる。
【００１５】
また、本明細書における「薬物」は、調製されているか否かに関わらず、病気の治療、回復または予防、健康の増進または維持、病状または健康状態などの診断、あるいは美容の増進または維持などの目的で生体に投与される物質を意味する。
【００１６】
また、本明細書における「薬物イオン」は、薬物がイオン解離することにより生じるイオンを意味する。薬物の薬物イオンへの解離は、薬物を水、アルコール類、酸、またはアルカリなどの溶媒に溶解させることにより生じるものであってもよく、さらに電圧の印加またはイオン化剤の添加等により生じるものであってもよい。
【００１７】
また、本明細書における「薬液」は、薬物イオンを含む流動物をいい、薬物を溶媒に溶解させた溶液、および、薬物が液状である場合における原液などの液体状態のものだけでなく、薬物の少なくとも一部が薬物イオンに解離する限り、薬物を溶媒等に懸濁または乳濁させたもの、および、軟膏状またはペースト状に調製されたものなど種々の状態のものを含む。
【００１８】
また、本明細書における「第１導電型」は、プラスまたはマイナスの電気極性を意味し、「第２導電型」は、第１導電型と反対の導電型（マイナスまたはプラス）を意味する。
【発明を実施するための最良の形態】
【００１９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２０】
図１は、イオントフォレーシス装置１０の上面図を示す。図２は、図１のａ−ａ断面における断面図を示す。図１および図２に示すように、イオントフォレーシス装置１０は、電極部材５１、作用側電極構造体２０、非作用側電極構造体３０、第一支持体４１、第二支持体４２、第三支持体４３および電源８０を有する。電極部材５１は、電源８０と電気的に接続しており、電極部６１、６４を皮膚との当接面４５の側に向けて、第一支持体４１と第二支持体４２との間に挟持される。ここで、第二支持体４２および第三支持体４３には、所定形状（本実施形態では円形）の２つの開口が形成され、これら２つの開口の一方には作用側電極構造体２０の構成部品が、他方には非作用側電極構造体３０の構成部品がそれぞれ配される。第一支持体４１、第二支持体４２および第三支持体４３は、シート状部材であり、例えば発泡ポリウレタンなどの柔軟な素材で形成される。したがって、使用者は、凹凸のある皮膚へもイオントフォレーシス装置１０の当接面４５を容易に当接させて保持することができる。また、使用者が動いた場合でも当接面４５は皮膚から離れにくい。
【００２１】
作用側電極構造体２０は、第一支持体４１の側から当接面４５の側に向かって、第１電解液保持部２１、第２導電型のイオン選択性膜２２、薬液保持部２４、および、第１導電型のイオン選択性膜２５をこの順に有する。非作用側電極構造体３０は、第一支持体４１の側から当接面４５の側に向かって、第２電解液保持部３１、第１導電型のイオン選択性膜３２、第３電解液保持部３４、および、第２導電型のイオン選択性膜３５をこの順に有する。電極部材５１の電極部６１は、作用側電極構造体２０の第１電解液保持部２１と当接し、また、電極部６４は、非作用側電極構造体３０の第２電解液保持部３１と当接する。ここで、第１電解液保持部２１および第２電解液保持部３１は、それぞれ、電極部６１、６４の接続対象の一例である。
【００２２】
作用側電極構造体２０において、第１電解液保持部２１は、例えば天然繊維、人工繊維の織布または不織布、多孔質膜、あるいはゲルなどの適当な吸収性をもつ担体であり、電解液を保持する。この電解液は、水の電気分解反応（水の酸化および還元反応）と比較して水の酸化還元電位より低い酸化還元電位を有する酸化および還元しやすい化合物が溶解した溶液が用いられる。
【００２３】
第２導電型のイオン選択性膜２２は、第１電解液保持部２１の当接面４５の側に設けられ、第２導電型のイオンを選択的に透過する。薬液保持部２４は、第１導電型の薬物イオンを含む薬液を、例えば天然繊維、人工繊維の織布や不織布、多孔質膜、あるいはゲルなどの適当な吸収性をもつ担体に含浸させて保持する。第１導電型のイオン選択性膜２５は、薬液保持部２４の当接面４５の側に設けられ、第１導電型のイオンを選択的に透過する。
【００２４】
非作用側電極構造体３０において、第２電解液保持部３１および第３電解液保持部３４は、例えば天然繊維、人工繊維の織布や不織布、多孔質膜、あるいはゲルなどの適当な吸収性をもつ担体であり、電解液を保持する。第１導電型のイオン選択性膜３２は、第２電解液保持部３１の当接面４５の側に設けられ、第１導電型のイオンを選択的に透過する。第３電解液保持部３４は、第１導電型のイオン選択性膜３２の当接面４５の側に設けられる。第２導電型のイオン選択性膜３５は、第３電解液保持部３４の当接面４５の側に設けられ、第２導電型のイオンを選択的に透過する。なお、第２電解液保持部３１、および第３電解液保持部３４が保持する電解液は、作用側電極構造体２０の第１電解液保持部２１が保持する電解液と同様に、水の電気分解反応（水の酸化および還元反応）と比較して水の酸化還元電位より低い酸化還元電位を有する酸化および還元しやすい化合物が溶解した溶液が用いられる。
【００２５】
イオントフォレーシス装置１０は、第１導電型のイオン選択性膜２５および第２導電型のイオン選択性膜３５における皮膚側に、皮膚との密着性を高めるための粘着剤層を形成することもできる。また、粘着剤層のさらに皮膚側に、当接面４５、第１導電型のイオン選択性膜２５、および第２導電型のイオン選択性膜３５を覆う剥離可能なライナーを貼付することもできる。これにより、イオントフォレーシス装置１０の保管中における異物の混入や乾燥を防止することができる。
【００２６】
イオントフォレーシス装置１０は、第１導電型のイオン選択性膜２５および第２導電型のイオン選択性膜３５が皮膚に当接した状態で、電源８０から作用側電極構造体２０および非作用側電極構造体３０に対して、イオントフォレーシスを適用するための電力が供給される（電圧がかけられる）と、作用側電極構造体２０および非作用側電極構造体３０の間に皮膚を介して電流が流れて使用状態となる。
【００２７】
ここで、薬物イオンがアニオンである場合を例に、イオントフォレーシス装置１０の具体的構成についてさらに説明する。この場合、第１導電型は陰であり、第２導電型は陽である。すなわち、作用側電極構造体２０の第１電解液保持部２１と当接する電極部６１はカソードとなり、非作用側電極構造体３０の第２電解液保持部３１と当接する電極部６４はアノードとなる。また、作用側電極構造体２０において、第２導電型のイオン選択性膜２２にはカチオン交換膜を用い、第１導電型のイオン選択性膜２５にはアニオン交換膜を用いる。また、非作用側電極構造体３０において、第１導電型のイオン選択性膜３２にはアニオン交換膜を用い、第２導電型のイオン選択性膜３５にはカチオン交換膜を用いる。
【００２８】
イオントフォレーシス装置１０は、皮膚を介して通電している使用状態において、以下の作用効果を奏する。すなわち、作用側電極構造体２０では、薬液保持部２４が保持する薬液に含まれる薬物イオンは、電気泳動によりカソードである電極部６１と反対側（皮膚側）へ移動し、薬液保持部２４の皮膚側に配されて皮膚と当接する第１導電型のイオン選択性膜２５を透過して速やかに皮膚へ浸透する。これに対し、生体内のカチオンは第１導電型のイオン選択性膜２５を透過して薬液保持部２４側へ移動することがない。したがって、安定した通電状態のもとでイオントフォレーシスにより薬物イオンを生体へ効率よく導入することができる。また、薬液保持部２４に含まれる、アニオンである薬物イオンと対を成すカチオンは、電極部６１側へ移動し、カチオン交換膜である第２導電型のイオン選択性膜２２を透過して第１電解液保持部２１側へ移動する。したがって、通電状態において、薬液保持部２４のイオンバランスが崩れないので、ｐＨの変化は生じにくい。故に、通電抵抗が大きくなりにくいので、薬物イオンの輸送効率の低下を抑えることができる。
【００２９】
非作用側電極構造体３０では、第３電解液保持部３４が保持する電解液に溶解している化合物が水の酸化還元電位より低い酸化還元電位を有する化合物であるので、アノードである電極部６４において、水の電気分解反応は起こらない。したがって、水の電気分解反応で発生する気泡（酸素ガス）によって、電極部６４と第３第３電解液保持部３４の保持する電解液との接触が妨げられることで通電抵抗が大きくなるのを防ぐことができる。
【００３０】
なお、薬物イオンがカチオンである場合は、第１導電型は陽であり、第２導電型は陰である。したがって、図１および図２に示すイオントフォレーシス装置１０における電極部６１および電極部６４の電気的な極性は逆になり、また、第２導電型のイオン選択性膜２２、第１導電型のイオン選択性膜２５、第１導電型のイオン選択性膜３２および第２導電型のイオン選択性膜３５の種類（イオン選択特性）はそれぞれ反対のものになる。
【００３１】
図３は、電極部材５１の平面図を示す。図４は、図３のｂ−ｂ断面における断面図を示す。図５は、図３のｃ−ｃ断面における断面図を示す。図６は、図３のｄ−ｄ断面における断面図を示す。なお、図３では説明のために右側の給電部７４における絶縁保護層９３を省略して示した。また、図４以降の断面図は、説明のために各構成の厚みを誇張して示した。
【００３２】
図３から図６に示すように、電極部材５１は、２つの円形部分を有する基体５６と、基体５６の円形部分上に形成された一対の電極部６１、６４と、基体５６上に形成された一対の給電部７１、７４と、給電部７１、７４における基体５６側とは反対側に形成された絶縁保護層９３とを備える。給電部７１の一端は、電極部６１の中央部８１と電気的に接続し、他端は電源８０の第１導電型の端子と電気的に接続する。また、給電部７４の一端は、電極部６４の中央部８２と電気的に接続しており、他端は電源８０の第２導電型の端子と電気的に接続している。なお、図４において絶縁保護層９３が給電部７１と給電部７４との間に入り込んで形成されてもよい。また、基体５６は、例えばＰＥＴ（ポリエチレンテレフタレート）フィルムなどのシート状の材料により形成され、可撓性を有する。
【００３３】
基体５６は、図３、図４および図６に示すように、電極部６１、６４が形成された２つの円形部分のそれぞれにおいて、中心に対して放射状に周縁が切り込まれた切込み８５、８６を複数有する。これにより、基体５６の２つの円形部分それぞれの周縁には、互いに相対的に変形可能な複数の可動部１５６が形成される。
【００３４】
電極部６１は、図７に示すように、基体５６の２つの円形部分の一方において、中心部および周縁の可動部１５６の少なくとも一部に形成される。また、電極部６１は、放射状の複数の切込み８５の各々から離間して配される。
【００３５】
電極部６４は、図７に示すように、基体５６の２つの円形部分の他方において、中心部および周縁の可動部１５６の少なくとも一部に形成される。また、電極部６４は、放射状の複数の切込み８６の各々から離間して配される。
【００３６】
電極部材５１は、例えば以下の通りに製造される。まず、銀および塩化銀またはカーボンなどの導電性を有する導電材料を含有する導電塗料を印刷などの方法で基体５６上に塗膜して電極部６１、６４および一対の給電部７１、７４を形成する。次に、これらの給電部７１、７４上に例えば電気絶縁性を有するインクを印刷などの方法で塗膜して絶縁保護層９３を形成する。さらに、打ち抜きなどの方法によりＰＥＴフィルムから図３、図４および図６に示すように切込み８５、８６が形成された基体５６を作製する。
【００３７】
以上に説明した電極部材５１は、基体５６の２つの円形部分に形成された電極部６１、６４のうち、少なくとも基体５６の可動部１５６上に形成された部分を可動部１５６とともに変形して撓ませることができる。したがって、電極部６１、６４を凹凸のある表面に対して容易に当接させることができる。また、電極部６１、６４が複数の切込み８５、８６の各々から離間して配されるので、電極部材５１は、基体５６における切込み８５、８６の両側の部分が離間する方向に力が加わった場合でも、電極部６１、６４は破損または基体５６から剥離しにくくなる。
【００３８】
また、電極部材５１に対して給電部７１、７４と接続した電源８０から電力が供給された場合、電極部６１、６４では、中央部８１、８２に近い側から遠い側に向かって電流が流れる。このとき、電極部６１、６４のそれぞれにおいて電流が流れ込む部分（給電部７１、７４とそれぞれ電気的に接続する部分）とそこから電極部６１、６４の面方向において最も離れた部分との距離は、図１０および図１１に示す電極部材５０の電極部６０、６３のそれぞれにおいて電流が流れ込む部分（給電部７０、７３とそれぞれ電気的に接続する部分）とそこから電極部６０、６３の面方向において最も離れた部分との距離よりも小さい。したがって、電極部材５０の電極部６０、６３と比べて、電極部材５１の電極部６１、６４は、電流密度分布の偏りが小さくなる。
【００３９】
また、上記のように、イオントフォレーシス装置１０において、電極部材５１の電極部６１は第１電解液保持部２１と当接しており、また、電極部６４は第２電解液保持部３１と当接している。このとき、絶縁保護層９３は、給電部７１および給電部７４が第１電解液保持部２１および第２電解液保持部３１とそれぞれ重なる領域において、給電部７１および給電部７４と第１電解液保持部２１および第２電解液保持部３１との間を電気的に絶縁している。したがって、給電部７１および給電部７４は、電極部６１および電極部６４とそれぞれ電気的に接続する部分以外の部分から電力を供給することなく、電極部６１および電極部６４に対して確実に電力を供給することができる。
【００４０】
上記イオントフォレーシス装置１０は、電極部材５１に代えて、以下に説明する電極部材５２を備えてもよい。図７は、電極部材５２の平面図を示す。図８は、図７のｅ−ｅ断面における断面図を示す。なお、図７では説明のために右側の給電部７５における絶縁保護層９４を省略して示した。また、図８以降の断面図は、説明のために各構成の厚みを誇張して示した。
【００４１】
図７および図８に示すように、電極部材５２は、２つの円形部分を有する基体５７と、基体５７の円形部分上に形成された一対の電極部６２、６５と、第１絶縁層９５と、第２絶縁層９６と、基体５７上に形成された一対の給電部７２、７５と、絶縁保護層９４とを備える。電極部６２、６５および給電部７２、７５は、例えば銀および塩化銀またはカーボンなどの導電性を有する導電材料を含有する導電塗料により形成される。また、第１絶縁層９５、第２絶縁層９６および絶縁保護層９４は、例えば電気絶縁性を有するインクにより形成される。なお、図８において第１絶縁層９５および第２絶縁層９６の一方または両方が給電部７２と給電部７５との間に入り込んで形成されてもよい。また、電極部材５２は、例えばＰＥＴ（ポリエチレンテレフタレート）フィルムなどのシート状の材料により形成され、可撓性を有する。
【００４２】
図７および図８に示すように、給電部７２の一端は、電極部６２の中央部８３と電気的に接続し、他端は電源８０の第１導電型の端子と電気的に接続する。また、給電部７５の一端は電極部６５の中央部８４と電気的に接続しており、他端は電源８０の第２導電型の端子と電気的に接続する。第１絶縁層９５および第２絶縁層９６は、給電部７２、７５が基体５７における上記の面体の部分の中央部８３、８４から外周部にわたって形成されている部分において、中央部８３、８４を除いて電極部６２、６５と給電部７２、７５とを電気的に絶縁する。
【００４３】
基体５７は、図７に示すように、電極部材５１の基体５６と同様に、電極部６２、６５が形成された２つの円形部分のそれぞれにおいて、周縁が切り込まれた切込み８７、８８をそれぞれ放射状に複数有する。これにより、基体５７の２つの円形部分それぞれの周縁には、互いに相対的に変形可能な複数の可動部１５７が形成される。
【００４４】
電極部６２は、図７に示すように、基体５７の２つの円形部分の一方において、中心部および周縁の可動部１５７の少なくとも一部に形成される。また、電極部６２は、放射状の複数の切込み８７の各々から離間して配される。
【００４５】
電極部６５は、図７に示すように、基体５７の２つの円形部分の他方において、中心部および周縁の可動部１５７の少なくとも一部に形成される。また、電極部６５は、放射状の複数の切込み８８の各々から離間して配される。
【００４６】
電極部材５２は、例えば以下の手順により印刷などの方法で製造される。まず、基体５７上に、一対の電極部６２、６５および第１絶縁層９５を形成する。次に、第２絶縁層９６を形成する。さらに、その上から給電部７２、７５を形成する。さらに、これら給電部７２、７５上に絶縁保護層９４を形成する。最後に、打ち抜きなどの方法によりＰＥＴフィルムから切込み８７、８８が形成された基体５７を作製する。
【００４７】
以上に説明した電極部材５２は、基体５７の２つの円形部分に形成された電極部６２、６５のうち、少なくとも基体５７の可動部１５７上に形成された部分を可動部１５７とともに変形して撓ませることができる。したがって、電極部６２、６５を凹凸のある表面に対して容易に当接させることができる。また、電極部６２、６５が放射状の複数の切込み８７、８８の各々から離間して配されるので、電極部材５２は、基体５７における切込み８７、８８の両側の部分が離間する方向に力が加わった場合でも、電極部６２、６５は破損または基体５７から剥離しにくくなる。さらに、電極部材５２は、給電部７２、７５の近傍には切込み８７、８８を有しない。したがって、電極部材５２は、基体５７における切込み８７、８８の両側の部分が離間する方向に力が加わった場合でも、基体５７における、給電部７２、７５が形成されている部分と、電極部６２、６５がそれぞれ形成された円形部分とが切断しにくくなる。
【００４８】
また、上記のイオントフォレーシス装置１０において、電極部材５２を用いた場合、電極部材５２の電極部６２は第１電解液保持部２１と当接し、また、電極部６５は第２電解液保持部３１と当接する。このとき、絶縁保護層９４は、給電部７２および給電部７５が第１電解液保持部２１および第２電解液保持部３１とそれぞれ重なる領域において、給電部７２および給電部７５と第１電解液保持部２１および第２電解液保持部３１との間を電気的に絶縁する。したがって、給電部７２および給電部７５は、電極部６２および電極部６５とそれぞれ電気的に接続する部分以外の部分から、第１電解液保持部２１および第２電解液保持部３１などに電力を供給することなく、電極部６２および電極部６５に対して確実に電力を供給することができる。
【００４９】
以上において説明した電極部材５１および電極部材５２を用いたイオントフォレーシス装置１０は、上記電極部材５０を用いた場合と比べて、凹凸のある表面に対して当接面４５をより追従して配することができる。
【００５０】
図９は、イオントフォレーシス装置１０の他の例の断面図を示す。イオントフォレーシス装置１０は、上記の作用側電極構造体２０および非作用側電極構造体３０に代えて、図９に示す内部構成を有する作用側電極構造体２６および非作用側電極構造体３６を備えてもよい。
【００５１】
図９に示すイオントフォレーシス装置１０の作用側電極構造体２６は、薬液保持部２７を有する。薬液保持部２７は、上記作用側電極構造体２０の薬液保持部２４と同様に、上記第１導電型の薬物イオンを含む薬液を、例えば天然繊維、人工繊維の織布や不織布、多孔質膜、あるいはゲルなどの適当な吸収性をもつ担体に含浸させて保持する。また、非作用側電極構造体３６は、電解液保持部３７を有する。電解液保持部３７は、上記第２電解液保持部３１および第３電解液保持部３４と同様に、例えば天然繊維、人工繊維の織布や不織布、多孔質膜、あるいはゲルなどの適当な吸収性をもつ担体であり、電解液を保持する。作用側電極構造体２６および非作用側電極構造体３６は、上記の作用側電極構造体２０および非作用側電極構造体３０と比べてより簡易な構造であるので、部品点数を少なくすることができる。
【００５２】
また、上記の作用側電極構造体２６および非作用側電極構造体３６を備えたイオントフォレーシス装置１０に電極部材５１を用いた場合、電極部材５１の電極部６１は薬液保持部２７と当接する。また、電極部６４は電解液保持部３７と当接する。このとき、絶縁保護層９３は、給電部７１および給電部７４が薬液保持部２７および電解液保持部３７とそれぞれ重なる領域において、給電部７１および給電部７４と薬液保持部２７および電解液保持部３７との間を電気的に絶縁している。したがって、給電部７１および給電部７４は、電極部６１および電極部６４とそれぞれ電気的に接続する部分以外の部分から電力を供給することなく、電極部６１および電極部６４に対して確実に電力を供給することができる。
【００５３】
また、上記の作用側電極構造体２６および非作用側電極構造体３６を備えたイオントフォレーシス装置１０に電極部材５２を用いた場合、電極部材５２の電極部６２は薬液保持部２７と当接する。また、電極部６５は電解液保持部３７と当接する。このとき、絶縁保護層９４は、給電部７２および給電部７５が薬液保持部２７および電解液保持部３７とそれぞれ重なる領域において、給電部７２および給電部７５と薬液保持部２７および電解液保持部３７との間を電気的に絶縁する。したがって、給電部７２および給電部７５は、電極部６２および電極部６５とそれぞれ電気的に接続する部分以外の部分から、薬液保持部２７および電解液保持部３７などに電力を供給することがない。ゆえに、給電部７２は電極部６２に、給電部７５は電極部６５に、それぞれ確実に電力を供給することができる。
【００５４】
本実施形態において、イオントフォレーシス装置１０によるイオントフォレーシスの適用に供される薬物イオンとしては、例えば次のようなものがある。正に帯電する薬物イオンとして、麻酔剤（塩酸プロカイン、塩酸リドカインなど）、胃腸疾患治療剤（塩化カルニチンなど）、骨格筋弛緩剤（臭化バンクロニウムなど）、抗生物質（テトラサイクリン系製剤、カナマイシン系製剤、ゲンタマイシン系製剤）等が挙げられる。負に帯電する薬物イオンとして、ビタミン（以下、Ｖと略記する）剤（ＶＢ２、ＶＢ１２、ＶＣ、ＶＥ、葉酸など）、副腎皮質ホルモン（ヒドロコルチゾン系水溶性製剤、デキサメサゾン系水溶性製剤、プレドニソロン系水溶性製剤など）、抗生物質（ペニシリン系水溶性製剤、クロウムフェニコール系水溶性製剤）等が挙げられる。
【００５５】
また、イオントフォレーシスを適用するための電圧は、例えば、低周波治療器のようにパルス電圧でもよい。また、徐々に電圧を上げたり、あるいは、下げてもよい。体内を流れる電流は、０．０１〜５ｍＡの範囲が好ましいが、電極部６１、６２、６４、６５の面積や投与部位、さらには被投与者の個体差などによって増減させて、痛みや熱感を与えない程度に設定する。
【００５６】
なお、上記実施形態において、基体および電極部は略円形であるが、形状はこれに限られず、基体および電極部が矩形、楕円等であってもよいし、基体と電極部とで異なる形状であってもよい。
【００５７】
以上、本発明を実施の形態を用いて説明したが、本発明の技術的範囲は上記実施の形態に記載の範囲には限定されない。上記実施の形態に、多様な変更または改良を加えることができることは当業者に明らかである。その様な変更または改良を加えた形態も本発明の技術的範囲に含まれ得ることが、特許請求の範囲の記載から明らかである。
【図面の簡単な説明】
【００５８】
【図１】イオントフォレーシス装置１０の上面図を示す。
【図２】図１のａ−ａ断面における断面図を示す。
【図３】電極部材５１の平面図を示す。
【図４】図３のｂ−ｂ断面における断面図を示す。
【図５】図３のｃ−ｃ断面における断面図を示す。
【図６】図３のｄ−ｄ断面における断面図を示す。
【図７】電極部材５２の平面図を示す。
【図８】図７のｅ−ｅ断面における断面図を示す。
【図９】イオントフォレーシス装置１０の他の例の断面図を示す。
【図１０】電極部材５０の平面図を模式的に示す。
【図１１】電極部材５０を図１０の矢印Ａの側から見た側面図を示す。
【符号の説明】
【００５９】
１０  イオントフォレーシス装置、２０、２６  作用側電極構造体、２１  第１電解液保持部、２２  第２導電型のイオン選択性膜、２４、２７  薬液保持部、２５  第１導電型のイオン選択性膜、３０、３６  非作用側電極構造体、３１  第２電解液保持部、３２  第１導電型のイオン選択性膜、３４  第３電解液保持部、３５  第２導電型のイオン選択性膜、３７  電解液保持部、４１  第一支持体、４２  第二支持体、４３  第三支持体、４５  当接面、５０、５１、５２  電極部材、５５、５６、５７  基体、６０、６１、６２、６３、６４、６５  電極部、７０、７１、７２、７３、７４、７５  給電部、８０  電源、８１、８２、８３、８４  中央部、８５、８６、８７、８８  切込み、９２、９３、９４  絶縁保護層、９５  第１絶縁層、９６  第２絶縁層、１５６、１５７  可動部
【図１】
2008110056.tif 000003
【図２】
2008110056.tif 000004
【図３】
2008110056.tif 000005
【図４】
2008110056.tif 000006
【図５】
2008110056.tif 000007
【図６】
2008110056.tif 000008
【図７】
2008110056.tif 000009
【図８】
2008110056.tif 000010
【図９】
2008110056.tif 000011
【図１０】
2008110056.tif 000012
【図１１】
2008110056.tif 000013